(57)【要約】  【課題】  回転軸とスリーブが、組み立て時には簡単に装着でき、駆動時には抜けることなく、分解時には簡単に抜くことができ、且つ製造工程やコストを削減した回転装置を提供することである。  【解決手段】  ポリゴンミラー２０用の回転装置１２は、スリーブ２２と、スリーブ２２に挿入された回転軸２１と、回転軸２１に固定されたポリゴンミラー２０と、回転軸２１に固定されたヨーク２７と、ヨーク２７に固定された永久磁石２８と、スリーブ２２に固定され永久磁石２８に対向するステータ２５とを備え、回転軸２１の外周の一部及びスリーブ２２の内周の一部にタップ部２１ａ、２２ａが形成され、回転軸２１をスリーブ２２へ挿入する過程で両タップ部２１ａ、２２ａが一時的に嵌合し、回転軸２１の駆動時の回転方向と回転軸２１の挿入時の回転方向とが同じである構成とする。【選択図】      図２
2005189515.tif 000002
【特許請求の範囲】
【請求項１】
スリーブと、該スリーブに挿入された回転軸と、該回転軸に固定されたポリゴンミラー
と、該回転軸に固定されたヨークと、該ヨークに固定された永久磁石と、前記スリーブに
固定され前記永久磁石に対向するステータとを有する回転装置と、
レーザ発振装置と、
感光ドラムとを備えたレーザビームプリンタにおいて、
前記回転軸の外周の一部及び前記スリーブの内周の一部にタップ部が形成され、
前記回転軸を前記スリーブへ挿入する過程で両タップ部が一時的に嵌合し、
前記回転軸の駆動時の回転方向と前記回転軸の挿入時の回転方向とが同じであることを
特徴とするレーザビームプリンタ。
【請求項２】
スリーブに挿入された回転軸が回転する回転装置において、
前記回転軸の外周の一部及び前記スリーブの内周の一部にタップ部が形成され、
前記回転軸を前記スリーブへ挿入する過程で両タップ部が一時的に嵌合し、
前記回転軸の駆動時の回転方向と前記回転軸の挿入時の回転方向とが同じであることを
特徴とする回転装置。
【発明の詳細な説明】
【技術分野】
【０００１】
本発明は、回転装置及びそれを備えたレーザビームプリンタに関し、詳しくはポリゴン
ミラー等を回転させる回転装置とそのレーザビームプリンタに関するものである。
【背景技術】
【０００２】
近年の回転装置には高速又は高精度の回転が要求されており、例えばレーザビームプリ
ンタでは、高精度なポリゴンミラーの回転装置が必要とされている。その際、ポリゴンミ
ラーが回転時に抜け落ちないように設計する必要がある。
【０００３】
例えば、特許文献１には、回転軸に凹部を設けるとともにスリーブに凹部に対し非接触
に嵌入する突起部材を設け、突起部材は回転軸をスリーブに嵌入する際は変形しやすく、
逆に抜ける方向には引っかかりを持ち抜けにくい形状をもつ動圧流体軸受回転装置が開示
されている。
【０００４】
これにより、回転軸に取り付けられた回転体が固定部材から必要以上に持ち上がったり
、抜け出してしまうことがないようにしている。
【特許文献１】特開平４−１０７３１３号公報
【発明の開示】
【発明が解決しようとする課題】
【０００５】
しかしながら、特許文献１では突起部材を弾性のある形状とするため、薄くする必要が
あり耐久性が低くなる。また、突起部材をスリーブと別材料や別部品とすると製造工程や
コストが増加することになる。更に、スリーブから回転軸を抜くことは困難であるので、
修理等の際にはスリーブごと交換する必要がある。
【０００６】
本発明は、回転軸とスリーブが、組み立て時には簡単に装着でき、駆動時には抜けるこ
となく、分解時には簡単に抜くことができ、且つ製造工程やコストを削減した回転装置を
提供することを目的とする。また、その回転装置を備えたレーザビームプリンタを提供す
ることも目的とする。
【課題を解決するための手段】
【０００７】
上記目的を達成するために本発明は、スリーブに挿入された回転軸が回転する回転装置
において、前記回転軸の外周の一部及び前記スリーブの内周の一部にタップ部が形成され
、前記回転軸を前記スリーブへ挿入する過程で両タップ部が一時的に嵌合し、前記回転軸
の駆動時の回転方向と前記回転軸の挿入時の回転方向とが同じであることを特徴とするも
のである。
【０００８】
このように、タップ部２１ａ、２２ａを形成することにより、回転軸とスリーブが、組
み立て時には簡単に装着でき、駆動時には抜けることなく、分解時には簡単に抜くことが
でき、且つ製造工程やコストを削減した回転装置を実現することができる。また、タップ
のような形状は耐久性の面からも有利である。
【０００９】
また本発明は、スリーブと、該スリーブに挿入された回転軸と、該回転軸に固定された
ポリゴンミラーと、該回転軸に固定されたヨークと、該ヨークに固定された永久磁石と、
前記スリーブに固定され前記永久磁石に対向するステータとを有する回転装置と、レーザ
発振装置と、感光ドラムとを備えたレーザビームプリンタにおいて、前記回転軸の外周の
一部及び前記スリーブの内周の一部にタップ部が形成され、前記回転軸を前記スリーブへ
挿入する過程で両タップ部が一時的に嵌合し、前記回転軸の駆動時の回転方向と前記回転
軸の挿入時の回転方向とが同じであることを特徴とするものである。
【００１０】
このように、タップ部を有する回転装置をレーザビームプリンタのポリゴンミラーの回
転装置として用いることにより、回転軸とスリーブが、組み立て時には簡単に装着でき、
駆動時には抜けることなく、分解時には簡単に抜くことができ、且つ製造工程やコストを
削減した回転装置を備えたレーザビームプリンタを実現することができる。
【発明の効果】
【００１１】
本発明によると、回転装置の回転軸とスリーブにタップ部を形成することにより、回転
軸とスリーブが、組み立て時には簡単に装着でき、駆動時には抜けることなく、分解時に
は簡単に抜くことができ、且つ製造工程やコストを削減することができる。
【発明を実施するための最良の形態】
【００１２】
図１は、レーザビームプリンタの光学系を説明する図である。１０は気体レーザや半導
体レーザ等からなるレーザ発振装置であり、１１はレーザ発振装置１０から発振された光
ビームをＯＮ−ＯＦＦ制御する光変調素子、１２は高速回転するポリゴンミラー２０を有
する回転装置、１３は光ビームのスポット形状を補正するｆθレンズ、１４は光ビームで
情報が書き込まれる感光ドラムである。
【００１３】
感光ドラム１４上に横一列の情報を書き込む場合、レーザ発振装置１０から発する光ビ
ームを光変調素子１１でＯＮ−ＯＦＦ制御した後、高速回転させたポリゴンミラー２０で
掃引し露光する。その後の光はｆθレンズ１３により光ビームのスポット形状を補正して
感光ドラム１４に書き込む。
【００１４】
次に、回転装置１２について詳しく説明する。図２は、回転装置の側断面図である。回
転軸２１がスリーブ２２に挿入され、回転軸２１の下端はスリーブ２２に内設された軸受
２３で回転可能に支持されている。また、スリーブ２２には外筒２４が外設され、外筒２
４にはステータ２５が外設されている。そして、スリーブ２２、軸受２３、及び外筒２４
は固定板２６上に固定されている。
【００１５】
また、回転軸２１にはポリゴンミラー２０及びヨーク２７が固定されている。そして、
ヨーク２７のステータ２５に対向する位置には永久磁石２８が設けられている。
【００１６】
また、回転軸２１の外周の一部及びスリーブ２２の内周の一部にはタップ部２１ａ、２
２ａが形成されている。組み立て時には、回転軸２１をスリーブ２２に挿入して所定の方
向に回すと両タップ部２１ａ、２２ａが嵌合し、その後、両タップ部２１ａ、２２ａが離
れた状態で回転軸２１の取り付けが完了する。
【００１７】
ここで、回転軸２１の駆動時の回転方向と回転軸２１の挿入時の回転方向とを同じ方向
にすることにより、駆動時に振動等が起こってもタップ部２１ａ、２２ａどうしが当たる
だけで、回転軸２１が抜け落ちることがなくなる。また、停止時に振動等が起こってもタ
ップ部２１ａ、２２ａどうしが当たるだけで、回転軸２１が抜け落ちることがなくなる。
一方で、修理等で分解する場合は回転軸２１を組み立て時の逆に回すことにより簡単に取
り外すことができる。
【００１８】
このように、タップ部２１ａ、２２ａを形成することにより、回転軸２１とスリーブ２
２が、組み立て時には簡単に装着でき、駆動時には抜けることなく、分解時には簡単に抜
くことができ、且つ製造工程やコストを削減した回転装置を実現することができる。また
、タップのような形状は耐久性の面からも有利である。
【００１９】
なお、タップ部２１ａ、２２ａは少なくとも１周以上に亘って形成されれば機能し、多
すぎると組み立てに時間が掛かる。従ってタップ部２１ａ、２２ａは１〜３周ぐらいが好
ましい。また、組み立てた状態で両タップ部２１ａ、２２ａの間隔が小さくなるようにす
ることにより、回転軸２１の上下のぶれが小さくなる。
【００２０】
なお、上記の実施形態においてスリーブ２２、軸受２３、外筒２４、固定板２６は別部
品としたが、可能な部品どうしは一体成形してもよい。また、ステータ２５及び永久磁石
２８に代えてモータで回転軸２１を回転する構成としてもよい。
【産業上の利用可能性】
【００２１】
本発明は、レーザビームプリンタのポリゴンミラーを回転させる回転装置をはじめ、ス
リーブ内に回転軸を有する回転装置に利用することができる。
【図面の簡単な説明】
【００２２】
【図１】本発明のレーザビームプリンタの光学系を説明する図である。
【図２】本発明の回転装置の側断面図である。
【符号の説明】
【００２３】
１０    レーザ発振装置
１１    光変調素子
１２    回転装置
１３    ｆθレンズ
１４    感光ドラム
２０    ポリゴンミラー
２１    回転軸
２２    スリーブ
２３    軸受
２４    外筒
２５    ステータ
２６    固定板
２７    ヨーク
２８    永久磁石
【図１】
2005189515.tif 000003
【図２】
2005189515.tif 000004